(57)【要約】【課題】乾燥室の底部まで高速空気流を到達させて、乾燥室の内部の水分や底部の水分が排水口に流し跳ね返り水を防止して、乾燥室内の乾燥状態が保たれることで清潔性の向上が図れることができる手乾燥装置を提供する。【解決手段】本体１の開放部から挿入された手を乾燥させる乾燥室３と、この乾燥室３には、開放部側に配置して気流を吹出す第１ノズル部７ａと、前記乾燥室３の底部側に配置して気流を吹出す第２ノズル部７ｂと、前記乾燥室３内に挿入された手を検知する手検知部４と、前記本体１には、下部に設けた吸気口５と、この吸気口５から吸い込んだ空気を前記第１ノズル部７ａと前記第２ノズル部７ｂへ送風する第１電動送風機２ａと、この第１電動送風機２ａを駆動する制御部８とを備える。【選択図】図１
2010207315.tif 000002
【特許請求の範囲】
【請求項１】
本体の開放部から挿入された手を乾燥させる乾燥室と、この乾燥室には、開放部側に配置して気流を吹出す第１ノズル部と、前記乾燥室の底部側に配置して気流を吹出す第２ノズル部と、前記乾燥室内に挿入された手を検知する手検知部とを備え、前記本体には、下部に設けた吸気口と、この吸気口から吸い込んだ空気を前記第１ノズル部と前記第２ノズル部へ送風する第１電動送風機と、この第１電動送風機を駆動する制御部とを備えた手乾燥装置。
【請求項２】
本体内には、第１ノズル部に設けた第１ルーバーと、前記第１ルーバーの開閉動作と左右動作の可動ができる第１ルーバー可動手段と、乾燥室底部の第２ノズル部に設けた第２ルーバーと、前記第２ルーバーの開閉動作と左右動作の可動ができる第２ルーバー可動手段と、第１電動送風機の動作時に前記第１ルーバーと前記第２ルーバーを個別に開閉動作を可能とする制御部を備え、手検知部が手を検知して前記第１電動送風機の始動運転時は、前記第１ルーバーのみを開動作させる前記制御部を有することを特徴とする請求項１記載の手乾燥装置。
【請求項３】
制御部は、始動運転後の定常運転時において、第１ルーバーと第２ルーバーの開閉動作を両方とも開動作で運転することを特徴とする請求項１または請求項２記載の手乾燥装置。
【請求項４】
制御部は、定常運転後の乾燥運転時に第１ルーバーを閉動作、第２ルーバーを開動作にする前記制御部を有することを特徴とする請求項１〜３のいずれか記載の手乾燥装置。
【請求項５】
制御部は、第１電動送風機が運転開始から停止するまでの始動運転、定常運転、乾燥運転の一連のサイクルで動作し、第１ルーバーと、第２ルーバーの開閉動作も同様に一連のサイクルで制御することを特徴とする請求項１〜４記載の手乾燥装置。
【請求項６】
第１電動送風機と、この第１電動送風機よりも能力の小さい第２電動送風機と、前記第１電動送風機と前記第２電動送風機を個別に制御する制御部とを備え、前記第１電動送風機と前記第２電動送風機の２台を動作させる時は、始動のタイミングをずらして運転させることを特徴とする手乾燥装置。
【請求項７】
第１電動送風機と第２電動送風機は個別に運転動作を可能とする制御部を備え、運転状態により前記第１電動送風機の単独運転と前記第２電動送風機の単独運転を切換えながら動作させることを特徴とする請求項６記載の手乾燥装置。
【請求項８】
制御部は、第１電動送風機の運転時は第１ルーバーを開動作とし、第２電動送風機の運転時は第２ルーバーを開動作とし、前記第１電動送風機および前記第２電動送風機が停止時は前記第１ルーバーおよび前記第２ルーバーが連動して閉動作させることを特徴とする請求項６または請求項７記載の手乾燥装置。
【請求項９】
制御部は、手検知部の手検知から手非検知までの間は、始動運転、定常運転として第１ルーバーを開動作で第１電動送風機を単独で運転させる事とし、手非検知以降の遅延運転においては、乾燥運転として第２ルーバーを開動作とし、第２電動送風機を単独で運転させことで、各電動送風機の各ルーバーの運転と開閉動作の一連の制御をさせることを特徴とする請求項６〜８いずれか記載の手乾燥装置。
【請求項１０】
吸気口から第１電動送風機を経て第１ノズル部へ連通させる第１風路と、前記吸気口から第２電動送風機を経て第２ノズル部へ連通させる第２風路とを備えた請求項１記載の手乾燥装置。
【請求項１１】
第２風路の空間の容積は、第１風路よりも小さい構成であることを特徴とする請求項１０記載の手乾燥装置。
【請求項１２】
乾燥室底部には水分量検知手段を設け、第１風路と第２風路にはそれぞれ第１ヒーターと第２ヒーターとを備え、前記第２ヒーターは前記第１ヒーターよりも能力が小さく、乾燥運転時の第２電動送風機の運転時に、前記水分量検知手段は、前記乾燥室内の水分量を検知し、乾燥していなければ、前記第２ヒーターにて空気流を加熱させて、前記乾燥室の底部の乾燥を加速させることを特徴とする請求項１０または１１記載の手乾燥装置。
【請求項１３】
本体内の乾燥室の内部を塞ぐ開閉式のカバーと、このカバーを可動させるカバー可動手段と、制御部は前記カバーの開閉動作を操作する第１設定スイッチと、前記第１設定スイッチで設定された内容を記憶する第１記憶装置を備え、前記乾燥室の内部の水分量を検知し、乾燥していなければ前記カバーを閉じて前記乾燥室底部を塞ぎ、第２電動送風機と第２ヒーターを運転させて前記乾燥室の底部の狭い空間を乾燥させることを特徴とする請求項１０〜１２のいずれかに記載の手乾燥装置。
【請求項１４】
本体の乾燥室の内部に洗浄用の水散布手段と、前記水散布手段を設定できる第２設定スイッチとその設定を記憶する第２記憶装置と、前記水散布手段にて散布された水分を下水に排水させる第２ドレン配管を備え、前記乾燥室の内部の前記カバーが閉じている時に前記水散布手段により、前記乾燥室の底部の狭い空間の隅々を洗浄する制御部であることを特徴とする請求項１０〜１３のいずれかに記載の手乾燥装置。
【請求項１５】
制御部は、乾燥室の内部を自動洗浄可能な自動メンテナンスモードを設定できる第３設定スイッチとその設定を記憶する第３記憶装置を備え、前記乾燥室の内部のカバーが閉じて、水散布手段により前記乾燥室を洗浄させて、第２ヒーターにて乾燥させる一連の制御が可能な前記制御部を有することを特徴とする請求項１０〜１４のいずれかに記載の手乾燥装置。
【請求項１６】
制御部は、自動メンテナンスモードの運転頻度のパターンを設定可能な第４設定スイッチとその設定を記憶する第４記憶装置を有することを特徴とする請求項１０〜１５のいずれかに記載の手乾燥装置。
【発明の詳細な説明】
【技術分野】
【０００１】
本発明は、手を効率的に乾燥させる手乾燥装置に関するものである。
【背景技術】
【０００２】
従来、この種の手乾燥装置は、洗浄後の濡れた手を衛生的に乾燥させる装置として、高速空気流により手に付着した水滴を吹き飛ばして乾燥させる手乾燥装置が知られている（例えば、特許文献１参照）。
【０００３】
また、この装置は、本体の乾燥室に手を挿入するための開口部が設けられ、乾燥室の壁面に傾けて設けられた赤外線発光素子と赤外線受光素子からなる手検出部が設けられている。
【０００４】
さらに、手検出部により手を検知すると本体に内蔵された送風装置が作動し、吹出し口から乾燥室へ高速空気流が噴射して、手に付着した水分を吹き飛ばして、手を乾燥させる構成となっていた。
【特許文献１】特開平１１−３１８７６０号公報
【発明の開示】
【発明が解決しようとする課題】
【０００５】
このような従来の手乾燥装置では、手を検知したときに吹出しノズルから送風を行うが、手の検知がなくなるとノズルからの送風を停止してしまうため乾燥室内を乾燥させることができないという課題があった。
【０００６】
さらに、第一使用者から飛散した水分が乾燥室内に溜った状態で、第二使用者の手検知時に乾燥室内に溜っていた第一使用者の水分が、第二使用者へ跳ね返り飛散するために不快を与えるという課題があった。
【０００７】
本発明は、このような従来の課題を解決するもので、乾燥室の底部まで高速空気流が届くために乾燥室の内部の水分や底部の水分が排水口に流れることで跳ね返り水の防止、乾燥室内の乾燥状態が保たれることで清潔性の向上が図れることができる手乾燥装置を提供する。
【課題を解決するための手段】
【０００８】
前記課題を解決するために、本発明の手乾燥装置は、本体の開放部から挿入された手を乾燥させる乾燥室と、この乾燥室には、開放部側に配置して気流を吹出す第１ノズル部と、前記乾燥室の底部側に配置して気流を吹出す第２ノズル部と、前記乾燥室内に挿入された手を検知する手検知部とを備え、前記本体には、下部に設けた吸気口と、この吸気口から吸い込んだ空気を前記第１ノズル部と前記第２ノズル部へ送風する第１電動送風機と、この第１電動送風機を駆動する制御部とを備えた構成を特徴とする手乾燥装置である。
【０００９】
この手段により、手乾燥と同時に乾燥室内も乾燥することで、飛散した水分の早期排水化が可能となり、清潔性の向上と跳ね返り水の防止を実現できるという効果のある手乾燥装置が得られる。
【００１０】
また、他の手段は、本体内には、第１ノズル部に設けた第１ルーバーと、前記第１ルーバーの開閉動作と左右動作の可動ができる第１ルーバー可動手段と、乾燥室底部の第２ノズル部に設けた第２ルーバーと、前記第２ルーバーの開閉動作と左右動作の可動ができる第２ルーバー可動手段と、第１電動送風機の動作時に前記第１ルーバーと前記第２ルーバーを個別に開閉動作を可能とする制御部を備え、手検知部が手を検知して前記第１電動送風機の始動運転時は、前記第１ルーバーのみを開動作させる前記制御部を有することを特徴とするものである。
【００１１】
この手段により、始動運転時は、手に付着した水分を大量に飛散させる必要があるため、前記第１ルーバーのみを開動作させることで、前記第１ノズル部から大風量の高速空気流を送風できるために、短時間で乾燥することが可能となり乾燥性が向上するという効果のある手乾燥装置が得られる。
【００１２】
また、他の手段は、制御部には、始動運転後の定常運転時において、第１ルーバーと第２ルーバーの開閉動作を両方とも開動作で運転することを特徴とするものである。
【００１３】
この手段により、定常運転時において、手全体を乾燥させるだけでなく、前記乾燥室の隅々まで乾燥させることができるため、乾燥性の向上と清潔性の向上と跳ね返り水の防止を実現できるという効果のある手乾燥装置が得られる。
【００１４】
また、他の手段は、制御部には、定常運転後の乾燥運転時に第１ルーバーを閉動作、第２ルーバーを開動作にする前記制御部を有することを特徴とするものである。
【００１５】
この手段により、乾燥運転時は、手から飛散された大量な水分が前記乾燥室内に付着するため、前記第２ルーバーのみを開動作させることで、前記第２ノズル部から大風量の高速空気流を送風させるために、短時間で乾燥室内を乾燥することが可能となり、さらなる清潔性の向上と跳ね返り水の防止を実現できるという効果のある手乾燥装置が得られる。
【００１６】
また、他の手段は、制御部には、第１電動送風機が運転開始から停止するまでの始動運転、定常運転、乾燥運転の一連のサイクルで動作し、第１ルーバーと、第２ルーバーの開閉動作も同様に一連のサイクルで制御することを特徴とするものである。
【００１７】
この手段により、一連のサイクルで運転させることで、更なる乾燥性が向上と清潔性の向上と跳ね返り水の防止を実現できるという効果のある手乾燥装置が得られる。
【００１８】
また、他の手段は、第１電動送風機と、この第１電動送風機よりも能力の小さい第２電動送風機と、前記第１電動送風機と前記第２電動送風機を個別に制御する制御部とを備え、前記第１電動送風機と前記第２電動送風機の２台を動作させる時は、始動のタイミングをずらして運転させることを特徴とするものである。
【００１９】
この手段により、２台の電動送風機を運転させることで、更なる大風量の空気流を送風出来るため、更なる乾燥性が向上することができる。
【００２０】
また、各電動送風機の始動タイミングをずらすことで、突入電流を抑制することができ、採用部品のスペックＵＰを抑えることができるため、コスト面で優位となるという効果のある手乾燥装置が得られる。
【００２１】
さらに、他の手段は、第１電動送風機と第２電動送風機は個別に運転動作を可能とする制御部を備え、運転状態により前記第１電動送風機の単独運転と前記第２電動送風機の単独運転を切換えながら動作させることを特徴とするものである。
【００２２】
この手段により、必要送風量の状況に合わせた電動送風機の選択が可能となり、機能面と操作性の向上と省エネを図ることができるという効果のある手乾燥装置が得られる。
【００２３】
また、他の手段は、制御部には、第１電動送風機の運転時は第１ルーバーを開動作とし、第２電動送風機の運転時は第２ルーバーを開動作とし、前記第１電動送風機および前記第２電動送風機が停止時は前記第１ルーバーおよび前記第２ルーバーが連動して閉動作させることを特徴とするものである。
【００２４】
この手段により、手乾燥時は前記第１ノズルから大風量の高速空気流を送風し、乾燥運転時は前記第２ノズルから送風させることで、手乾燥時ほどの高速空気流を必要としないことから消費電力を抑えることが出来るため、省エネ性の向上と機能面の向上することができるという効果のある手乾燥装置が得られる。
【００２５】
また、他の手段は、制御部には、手検知部の手検知から手非検知までの間は、始動運転、定常運転として第１ルーバーを開動作で第１電動送風機を単独で運転させる事とし、手非検知以降の遅延運転においては、乾燥運転として第２ルーバーを開動作とし、第２電動送風機を単独で運転させことで、各電動送風機の各ルーバーの運転と開閉動作の一連の制御をさせることを特徴とするものである。
【００２６】
この手段により、前記第１電動送風機と前記第２電動送風機を使い分けながら、一連のサイクルで運転させることで、機能面と操作性の向上と省エネ性の向上を図ることができるという効果のある手乾燥装置が得られる。
【００２７】
また、他の手段は、吸気口から第１電動送風機を経て第１ノズル部へ連通させる第１風路と、前記吸気口から第２電動送風機を経て第２ノズル部へ連通させる第２風路とを備えたことを特徴とするものである。
【００２８】
この手段により、前記第１ルーバーと前記第２ルーバーの開閉動作の制御を廃止することができ、左右の動作だけにすることができるので、構造を簡略化することができるため、コスト面で優位な商品を提供できるという効果のある手乾燥装置が得られる。
【００２９】
また、他の手段は、第２風路の空間の容積は、第１風路よりも小さい構成であることを特徴とするものである。
【００３０】
この手段により、前記第２電動送風機は能力が小さいことから、前記第２風路の容積も小さくすることで、瞬間的に高速空気流を前記第２ノズル部から送風することが可能となり、機能面の向上と小型化と低騒音化を図ることができるという効果のある手乾燥装置が得られる。
【００３１】
また、他の手段は、乾燥室底部には水分量検知手段を設け、第１風路と第２風路にはそれぞれ第１ヒーターと第２ヒーターとを備え、前記第２ヒーターは前記第１ヒーターよりも能力が小さく、乾燥運転時の第２電動送風機の運転時に、前記水分量検知手段は、前記乾燥室内の水分量を検知し、乾燥していなければ、前記第２ヒーターにて空気流を加熱させて、前記乾燥室の底部の乾燥を加速させることを特徴とするものである。
【００３２】
この手段により、前記乾燥室底部の狭い空間を重点的に乾燥を加速させるだけでなく、前記第１ヒーターに比べて省エネ運転が可能なコスト面で優位な商品を提供できるという効果のある手乾燥装置が得られる。
【００３３】
また、他の手段は、本体内の乾燥室の内部を塞ぐ開閉式のカバーと、このカバーを可動させるカバー可動手段と、制御部は前記カバーの開閉動作を操作する第１設定スイッチと、前記第１設定スイッチで設定された内容を記憶する第１記憶装置を備え、前記乾燥室の内部の水分量を検知し、乾燥していなければ前記カバーを閉じて前記乾燥室底部を塞ぎ、第２電動送風機と第２ヒーターを運転させて前記乾燥室の底部の狭い空間を乾燥させることを特徴とするものである。
【００３４】
この手段により、前記乾燥室底部の狭い空間の完全を囲うことができるため、乾燥運転を加速させて乾燥効率を向上させるために乾燥時間を短縮することができることから、省エネ性の向上と機能面の向上を図ることができるという効果のある手乾燥装置が得られる。
【００３５】
また、他の手段は、本体の乾燥室の内部に洗浄用の水散布手段と、前記水散布手段を設定できる第２設定スイッチとその設定を記憶する第２記憶装置と、前記水散布手段にて散布された水分を下水に排水させる第２ドレン配管を備え、前記乾燥室の内部の前記カバーが閉じている時に前記水散布手段により、前記乾燥室の底部の狭い空間の隅々を洗浄する制御部であることを特徴とするものである。
【００３６】
この手段により、前記乾燥室底部の壁面や前記排水口周辺に溜まるごみや水垢を取り除くことができるため、使用者に汚れによる不快を解消できる為、清潔性が向上できることで本機器使用者も増加する商品を提供できるという効果のある手乾燥装置が得られる。
【００３７】
また、他の手段は、制御部には、乾燥室の内部を自動洗浄可能な自動メンテナンスモードを設定できる第３設定スイッチとその設定を記憶する第３記憶装置を備え、前記乾燥室の内部のカバーが閉じて、水散布手段により前記乾燥室を洗浄させて、第２ヒーターにて乾燥させる一連の制御が可能な前記制御部を有することを特徴とするものである。
【００３８】
この手段により、短時間で洗浄と乾燥をすることで、機能面と清潔性が向上するだけでなく、メンテナンス性も向上するため、使い勝手のよい商品を提供することができるという効果のある手乾燥装置が得られる。
【００３９】
また、他の手段は、制御部には、自動メンテナンスモードの運転頻度のパターンを設定可能な第４設定スイッチとその設定を記憶する第４記憶装置を有することを特徴とするものである。
【００４０】
この手段により、客先要望を反映できる運転設定と清潔性と乾燥性が向上した使い勝手のよい商品を提供することができるという効果のある手乾燥装置が得られる。
【発明の効果】
【００４１】
本発明の手乾燥装置によれば、本体の開放部から挿入された手を乾燥させる乾燥室と、この乾燥室には、開放部側に配置して気流を吹出す第１ノズル部と、前記乾燥室の底部側に配置して気流を吹出す第２ノズル部と、前記乾燥室内に挿入された手を検知する手検知部とを備え、前記本体には、下部に設けた吸気口と、この吸気口から吸い込んだ空気を前記第１ノズル部と前記第２ノズル部へ送風する第１電動送風機と、この第１電動送風機を駆動する制御部とを備え、吸気口から吸込んだ空気は、前記第１電動送風機により高速空気流となって、前記乾燥室上部の手乾燥用の前記第１ノズル部と前記乾燥室底部の乾燥室用の前記第２ノズル部の両方から高速空気流を送風することができるために、手乾燥と同時に乾燥室内も乾燥することで、飛散した水分の早期排水化が可能となり、清潔性の向上と跳ね返り水の防止を実現できるという効果のある手乾燥装置を提供することができる。
【発明を実施するための最良の形態】
【００４２】
請求項１記載の発明は、本体の開放部から挿入された手を乾燥させる乾燥室と、この乾燥室には、開放部側に配置して気流を吹出す第１ノズル部と、前記乾燥室の底部側に配置して気流を吹出す第２ノズル部と、前記乾燥室内に挿入された手を検知する手検知部とを備え、前記本体には、下部に設けた吸気口と、この吸気口から吸い込んだ空気を前記第１ノズル部と前記第２ノズル部へ送風する第１電動送風機と、この第１電動送風機を駆動する制御部とを備えた構成を特徴とする手乾燥装置であって、吸気口から吸込んだ空気は、前記第１電動送風機により高速空気流となって、前記乾燥室上部の手乾燥用の前記第１ノズル部と前記乾燥室底部の乾燥室用の前記第２ノズル部の両方から高速空気流を送風することができる作用を有する。
【００４３】
また、本体内には、第１ノズル部に設けた第１ルーバーと、前記第１ルーバーの開閉動作と左右動作の可動ができる第１ルーバー可動手段と、乾燥室底部の第２ノズル部に設けた第２ルーバーと、前記第２ルーバーの開閉動作と左右動作の可動ができる第２ルーバー可動手段と、第１電動送風機の動作時に前記第１ルーバーと前記第２ルーバーを個別に開閉動作を可能とする制御部を備え、手検知部が手を検知して前記第１電動送風機の始動運転時は、前記第１ルーバーのみを開動作させる前記制御部を有することを特徴とする手乾燥装置であって、前記第１電動送風機の始動運転時は、前記第１ルーバーを開動作とし、前記第２ルーバーを閉動作にすることで、前記乾燥室へは前記第１ノズル部からのみ高速空気流を送風することができる作用を有する。
【００４４】
さらに、制御部は、始動運転後の定常運転時において、第１ルーバーと第２ルーバーの開閉動作を両方とも開動作で運転することを特徴とする手乾燥装置であって、定常運転時において、前記第１電動送風機により高速空気流となって、前記第１ノズル部と前記第２ノズル部の両方から送風しながら、前記第１ルーバーと前記第２ルーバーにて左右動作させることで、手全体に送風させるだけでなく、前記乾燥室の隅々まで送風させることができる作用を有する。
【００４５】
また、制御部は、定常運転後の乾燥運転時に第１ルーバーを閉動作、第２ルーバーを開動作にする前記制御部を有することを特徴とする手乾燥装置であって、乾燥運転時において、前記第１ルーバーを閉動作とし、前記第２ルーバーを開動作にすることで、前記乾燥室へは前記第２ノズル部からのみ高速空気流を送風することができる作用を有する。
【００４６】
さらに、制御部は、第１電動送風機が運転開始から停止するまでの始動運転、定常運転、乾燥運転の一連のサイクルで動作し、第１ルーバーと、第２ルーバーの開閉動作も同様に一連のサイクルで制御することを特徴とする手乾燥装置であって、始動運転と定常運転と乾燥運転の一連のサイクルにおいて、始動運転時は、前記第１ノズル部から大風量を送風し水分を前記乾燥室下部へ飛散させ、定常運転時は、前記第１ノズルと前記第２ノズルを同時運転させて、手の水分を飛散させながら、水分を排水口へ飛散させ、乾燥運転においては、水分を排水口ヘ飛散させることの一連の運転で水分を順序よく、効率的に排水口へ飛散させることができる作用を有する。
【００４７】
また、第１電動送風機と、この第１電動送風機よりも能力の小さい第２電動送風機と、前記第１電動送風機と前記第２電動送風機を個別に制御する制御部とを備え、前記第１電動送風機と前記第２電動送風機の２台を動作させる時は、始動のタイミングをずらして運転させることを特徴とする手乾燥装置であって、前記第１電動送風機と前記第２電動送風機の始動時のタイミングをずらして始動することで、突入電流のピークをずらすことが出来るため、電流量を抑えることができる。
【００４８】
さらに、２台の同時運転により送風量を増やすことができる作用を有する。
【００４９】
また、第１電動送風機と第２電動送風機は個別に運転動作を可能とする制御部を備え、運転状態により前記第１電動送風機の単独運転と前記第２電動送風機の単独運転を切換えながら動作させることを特徴とする手乾燥装置であって、前記第１電動送風機と前記第２電動送風機を個別に動作できるようにすることで、必要な送風量にあわせて、前記第１電動送風機のみ運転、前記第２電動送風機のみ運転に変更が可能となる作用を有する。
【００５０】
さらに、制御部は、第１電動送風機の運転時は第１ルーバーを開動作とし、第２電動送風機の運転時は第２ルーバーを開動作とし、前記第１電動送風機および前記第２電動送風機が停止時は前記第１ルーバーおよび前記第２ルーバーが連動して閉動作させることを特徴とする手乾燥装置であって、各電動送風機の運転時は各ルーバーを開動作とし、各電動送風機の停止時は各ルーバーを閉動作とすることで風の流れを変更しながら、最適な各ノズル部より、送風をすることができる作用を有する。
【００５１】
また、制御部は、手検知部の手検知から手非検知までの間は、始動運転、定常運転として第１ルーバーを開動作で第１電動送風機を単独で運転させる事とし、手非検知以降の遅延運転においては、乾燥運転として第２ルーバーを開動作とし、第２電動送風機を単独で運転させことで、各電動送風機の各ルーバーの運転と開閉動作の一連の制御をさせることを特徴とする手乾燥装置であって、各電動送風機の運転モードにあわせて、各ルーバーも開閉動作をさせながら、前記乾燥室の前記第１ノズル部と前記第２ノズル部から前記乾燥室へ一連のサイクルで送風することができる作用を有する。
【００５２】
さらに、吸気口から第１電動送風機を経て第１ノズル部へ連通させる第１風路と、前記吸気口から第２電動送風機を経て第２ノズル部へ連通させる第２風路とを備えたことを特徴とする手乾燥装置であって、前記本体内の前記第１風路は、前記第１電動送風機専用とし、前記第２電動送風機用の前記第２風路とすることで、異なる高速空気流を送風することができる作用を有する。
【００５３】
また、第２風路の空間の容積は、第１風路よりも小さい構成であることを特徴とする手乾燥装置であって、前記第２電動送風機は、前記第１電動送風機よりも小さいことから、前記第２風路の容積も前記第１風路より小さくすることで、能力の小さい前記第２電動送風機でも前記第２風路においても同等な高速空気流を送風することができる作用を有する。
【００５４】
さらに、乾燥室底部には水分量検知手段を設け、第１風路と第２風路にはそれぞれ第１ヒーターと第２ヒーターとを備え、前記第２ヒーターは前記第１ヒーターよりも能力が小さく、乾燥運転時の第２電動送風機の運転時に、前記水分量検知手段は、前記乾燥室内の水分量を検知し、乾燥していなければ、前記第２ヒーターにて空気流を加熱させて、前記乾燥室の底部の乾燥を加速させることを特徴とする手乾燥装置であって、前記第２ヒーターを設けて前記第２ノズル部より送風することができるため、前記第１ノズル部よりも最短距離で前記乾燥室底部のみを直接、暖かい高速空気流を送風することができる作用を有する。
【００５５】
また、本体内の乾燥室の内部を塞ぐ開閉式のカバーと、このカバーを可動させるカバー可動手段と、制御部は前記カバーの開閉動作を操作する第１設定スイッチと、前記第１設定スイッチで設定された内容を記憶する第１記憶装置を備え、前記乾燥室の内部の水分量を検知し、乾燥していなければ前記カバーを閉じて前記乾燥室底部を塞ぎ、第２電動送風機と第２ヒーターを運転させて前記乾燥室の底部の狭い空間を乾燥させることを特徴とする手乾燥装置であって、前記カバーを閉じた時に前記乾燥室内の底部は囲われた空間になるため、乾燥運転時において前記乾燥室全体の乾燥とは異なり狭い空間のみの乾燥となるため、時間の短縮をすることができる作用を有する。
【００５６】
さらに、本体の乾燥室の内部に洗浄用の水散布手段と、前記水散布手段を設定できる第２設定スイッチとその設定を記憶する第２記憶装置と、前記水散布手段にて散布された水分を下水に排水させる第２ドレン配管を備え、前記乾燥室の内部の前記カバーが閉じている時に前記水散布手段により、前記乾燥室の底部の狭い空間の隅々を洗浄する制御部であることを特徴とする手乾燥装置であって、前記水散布手段より密閉空間全体を水散布することで、水垢や乾燥室底部に溜まった埃を洗い流すことができる作用を有する。
【００５７】
また、制御部は、乾燥室の内部を自動洗浄可能な自動メンテナンスモードを設定できる第３設定スイッチとその設定を記憶する第３記憶装置を備え、前記乾燥室の内部のカバーが閉じて、水散布手段により前記乾燥室を洗浄させて、第２ヒーターにて乾燥させる一連の制御が可能な前記制御部を有することを特徴とする手乾燥装置であって、前記制御部に設けた前記第３設定スイッチにより、前記乾燥室内の前記カバーが閉じて前記水散布手段より空間全体を水散布して洗浄し、続いて乾燥運転にて自動乾燥することで、前記乾燥室の底部に溜まった埃を洗い流してさらに乾燥することができる作用を有する。
【００５８】
さらに、制御部は、自動メンテナンスモードの運転頻度のパターンを設定可能な第４設定スイッチとその設定を記憶する第４記憶装置を有することを特徴とする手乾燥装置であって、前記制御部に設けた前記第４設定スイッチにより、自動メンテナンスモードを前記第３設定スイッチを操作したときのみに実施するのではなく、前記第４設定スイッチにより、前記手検知部が検知した運転回数の頻度にて自動メンテナンスモードの運転回数を設定することが出来るため、定期的に水洗浄を行うことができる作用を有する。
【００５９】
以下、本発明の実施の形態について図面を参照しながら説明する。
【００６０】
（実施の形態１）
図１は、本実施の形態１における手乾燥装置の側断面図を示す。
【００６１】
図１に示すように、本体１の開放部から挿入された手を乾燥させる乾燥室３と、この乾燥室３には、開放部側に配置して気流を吹出す第１ノズル部７ａと、前記乾燥室３の底部側に配置して気流を吹出す第２ノズル部７ｂと、前記開放部側に前記乾燥室３内に挿入された手を検知する手検知部４とを備え、前記本体１には、下部に設けた吸気口５と、この吸気口５から吸い込んだ空気を前記第１ノズル部７ａと前記第２ノズル部７ｂへ送風する第１電動送風機２ａと、この第１電動送風機２ａを駆動する制御部８とを設けている。
【００６２】
また、前記手検知部４は一例として、赤外線受発光素子や側距センサーなどを用いて、前記乾燥室３内の手の抜き差しを検知することができる。
【００６３】
さらに、前記制御部８には、前記手検知部４からの信号により、手検知部４が挿入された手を検知している間、前記第１電動送風機２ａを動作し続け、手の非検知状態になったら、前記第１電動送風機２ａを一定時間の遅延運転である乾燥運転後に停止させる構成を備える。
【００６４】
また、乾燥運転の一定時間は、一例として、１秒〜５秒程度であり、この時間は前記手検知部４が手の非検知状態になったら、惰性で前記第１電動送風機２ａが回転して停止する時間で設定された時間である。
【００６５】
さらに、その間に前記第１電動送風機２ａは、第１ノズル部７ａと第２ノズル部７ｂにより前記乾燥室３内に高速空気流を送風することができるので、前記乾燥室３内の底部に溜まった水分を排水口９の方向へ集めることができ、第１ドレン配管１０ａを通って前記本体１の下面に設置されている取り出し可能なドレンタンク１１に水分を溜めることができる。
【００６６】
また、前記ドレンタンク１１に溜まった水分は清掃者が定期的に捨てることで使用されている。
【００６７】
上記構成により、吸気口５から吸込んだ空気は、前記第１電動送風機２ａにより高速空気流となって、前記乾燥室３上部の手乾燥用の前記第１ノズル部７ａと前記乾燥室３底部の乾燥室用の前記第２ノズル部７ｂの両方から高速空気流を送風することができるために、手乾燥と同時に前記乾燥室３内も乾燥することで、飛散した水分の早期排水化が可能となり、清潔性の向上と跳ね返り水の防止を実現することができる。
【００６８】
（実施の形態２）
図２は、本実施の形態２における手乾燥装置の側断面図を示す。
【００６９】
図２に示すように、本体１内には、第１ノズル部７ａに設けた第１ルーバー１２ａと、前記第１ルーバー１２ａの開閉動作と左右動作の可動ができる第１ルーバー可動手段１３ａと、乾燥室３底部の第２ノズル部７ｂに設けた第２ルーバー１２ｂと、前記第２ルーバー１２ｂの開閉動作と左右動作の可動ができる第２ルーバー可動手段１３ｂと、第１電動送風機２ａの動作時に前記第１ルーバー１２ａと前記第２ルーバー１２ｂを個別に開閉動作を可能とする制御部８を備え、この制御部８は、手検知部４が手を検知して前記第１電動送風機２ａの始動運転時は、前記第１ルーバー１２ａのみを開動作させる構成を備える。
【００７０】
また、前記第１ルーバー可動手段１３ａと前記第２ルーバー可動手段１３ｂは一例としては、ステッピングモータなどが用いられる。また、制御部８は、前記第１電動送風機２ａの動作時に連動して前記制御部８からの信号でステッピングモータが回転し、その回転力にて前記第１ルーバー１２ａと前記第２ルーバー１２ｂが機械的に開閉動作と左右の動作をする構成を備える。そして、制御部８により前記第１ルーバー１２ａと前記第２ルーバー１２ｂの動作をさせることで前記第１ノズル部７ａと前記第２ノズル部７ｂから前記乾燥室３の底部に向けて広角に高速空気流を送風することが可能である。
【００７１】
さらに、前記第１電動送風機２ａが停止すると、第１電動送風機２ａの停止動作に連動してステッピングモータは現在の回転角から初期値の回転角度に戻ってから停止するために、前記第１ルーバー１２ａと前記第２ルーバー１２ｂは閉動作となって、前記第１ノズル部７ａと前記第２ノズル部７ｂから送風ができなくなる。
【００７２】
また、制御部８は、始動運転後の定常運転時において、第１ルーバー１２ａと第２ルーバー１２ｂの開閉動作を両方とも開動作で運転する構成を備える。
【００７３】
さらに、制御部８は、定常運転後の乾燥運転時に第１ルーバー１２ａを閉動作、第２ルーバー１２ｂを開動作にする前記制御部８を設けている。
【００７４】
また、制御部８は、第１電動送風機２ａが運転開始から停止するまでの始動運転、定常運転、乾燥運転の一連のサイクルで動作し、第１ルーバー１２ａと、第２ルーバー１２ｂの開閉動作も同様に一連のサイクルで制御する構成を備える。
【００７５】
上記構成により、前記第１電動送風機２ａの始動運転時は、前記第１ルーバー１２ａを開動作とし、前記第２ルーバー１２ｂを閉動作にすることで、前記乾燥室３へは前記第１ノズル部７ａからのみ高速空気流を送風することができるため、始動運転時は、手に付着した水分を大量に飛散させる必要があるため、前記第１ルーバー１２ａのみを開動作させることで、前記第１ノズル部７ａから大風量の高速空気流を送風できるために、短時間で乾燥することが可能となり乾燥性が向上することができる。
【００７６】
また、定常運転時において、前記第１電動送風機２ａにより高速空気流となって、前記第１ノズル部７ａと前記第２ノズル部７ｂの両方から送風しながら、前記第１ルーバー１２ａと前記第２ルーバー１２ｂにて左右動作させることで、手全体に送風させるだけでなく、前記乾燥室３の隅々まで送風させることができるために、定常運転時において、手全体を乾燥させるだけでなく、前記乾燥室３の隅々まで乾燥させることができるため、乾燥性の向上と清潔性の向上と跳ね返り水の防止を実現することができる。
【００７７】
さらに、乾燥運転時において、前記第１ルーバー１２ａを閉動作とし、前記第２ルーバー１２ｂを開動作にすることで、前記乾燥室３へは前記第２ノズル部７ｂからのみ高速空気流を送風することができるために、乾燥運転時は、手から飛散された大量な水分が前記乾燥室３内に付着するため、前記第２ルーバー１２ｂのみを開動作させることで、前記第２ノズル部７ｂから大風量の高速空気流を送風させるために、短時間で乾燥室３内を乾燥することが可能となり、さらなる清潔性の向上と跳ね返り水の防止を実現することができる。
【００７８】
また、始動運転と定常運転と乾燥運転の一連のサイクルにおいて、始動運転時は、前記第１ノズル部７ａから大風量を送風し水分を前記乾燥室３下部へ飛散させ、定常運転時は、前記第１ノズルと前記第２ノズルを同時運転させて、手の水分を飛散させながら、水分を排水口９へ飛散させ、乾燥運転においては、水分を排水口９ヘ飛散させることの一連の運転で水分を順序よく、効率的に排水口９へ飛散させることができるために、一連のサイクルで運転させることで、更なる乾燥性が向上と清潔性の向上と跳ね返り水の防止を実現することができる。
【００７９】
（実施の形態３）
図３は、本実施の形態３における手乾燥装置の側断面図を示す。
【００８０】
図３に示すように、第１電動送風機２ａと、この第１電動送風機２ａよりも能力の小さい第２電動送風機２ｂと、前記第１電動送風機２ａと前記第２電動送風機２ｂを個別に制御する制御部８とを備え、前記第１電動送風機２ａと前記第２電動送風機２ｂの２台を動作させる時は、始動のタイミングをずらして運転させる構成とする。
【００８１】
また、第２電動送風機２ｂは、前記第１電動送風機２ａの近傍に配置され、前記第１電動送風機２ａの補助的な送風機能のために能力を小さくしているために、大風量を必要としない送風運転時に消費電力を抑えた運転をすることができる。
【００８２】
さらに、前記制御部８は、前記第１電動送風機２ａと前記第２電動送風機２ｂにおいて個別で運転信号を出すことが可能であるが、同時に運転させる場合の一例としては、常時前記第１電動送風機２ａの運転を優先とし、前記制御部８からの運転信号は、前記第１電動送風機２ａへの運転信号発信後、約１〜２秒ほどの遅延時間後に前記第２電動送風機２ｂへ運転信号を発信させることにする。
【００８３】
また、遅延時間の約１〜２秒については手乾燥装置自身の運転時間は１０秒程度であり、突入電流の時間は数百ｍｓ以内の為、十分に突入電流を抑制させることができる。
【００８４】
上記構成により、前記第１電動送風機２ａと前記第２電動送風機２ｂの始動時のタイミングをずらして始動することで、突入電流のピークをずらすことが出来るため、電流量を抑えることができる。
【００８５】
また、２台の同時運転が可能となるために、更なる大風量の高速空気流を送風出来るため、更なる乾燥性が向上することができる。
【００８６】
さらに、各電動送風機の始動タイミングをずらすことで、突入電流を抑制することができ、採用部品のスペックＵＰを抑えることで、コスト面を優位にすることができる。
【００８７】
（実施の形態４）
図４は、本実施の形態４における手乾燥装置の側断面図を示す。
【００８８】
図４に示すように、第１電動送風機２ａと第２電動送風機２ｂは個別に運転動作を可能とする制御部８を備え、運転状態により前記第１電動送風機２ａの単独運転と前記第２電動送風機２ｂの単独運転を切換えながら動作させることができる。
【００８９】
また、前記第１電動送風機２ａと前記第２電動送風機２ｂの動作の一例は、速度ノッチを持たない２台の電動送風機の場合、能力が大きい第１電動送風機２ａと能力が小さい第２電動送風機２ｂの２台の電動機を備え、これら電動機の運転を切換えて、大風量が必要とする始動運転時は、前記第１電動送風機２ａを動作させて、乾燥運転時は前記第２電動送風機２ｂに運転を切換えることができる。
【００９０】
さらに、制御部８は、第１電動送風機２ａの運転時は第１ルーバー１２ａを開動作とし、第２電動送風機２ｂの運転時は第２ルーバー１２ｂを開動作とし、前記第１電動送風機２ａおよび前記第２電動送風機２ｂが停止時は前記第１ルーバー１２ａおよび前記第２ルーバー１２ｂが連動して閉動作させることができる。
【００９１】
また、制御部８は、前記第１ルーバー１２ａと前記第２ルーバー１２ｂの動作を、前記第１電動送風機２ａと前記第２電動送風機２ｂが始動すると同時に前記第１ルーバー可動手段１３ａと第２ルーバー可動手段１３ｂが開動作し、さらに運転中は広角にも可動するために前記第１ノズル部７ａと前記第２ノズル部７ｂからの送風は、前記乾燥室３の全体に向けて送風する構成とする。
【００９２】
さらに、制御部８は、手検知部４の手検知から手非検知までの間は、始動運転、定常運転として第１ルーバー１２ａを開動作で第１電動送風機２ａを単独で運転させる事とし、手非検知以降の遅延運転においては、乾燥運転として第２ルーバー１２ｂを開動作とし、第２電動送風機２ｂを単独で運転させる構成とすることで、各電動送風機の各ルーバーの運転と開閉動作の一連の制御をさせることができる。
【００９３】
上記構成により、前記第１電動送風機２ａと前記第２電動送風機２ｂを個別に動作できるようにすることで、必要な送風量にあわせて、前記第１電動送風機２ａのみ運転、前記第２電動送風機２ｂのみ運転に変更が可能となるために、必要送風量の状況に合わせた電動送風機の選択が可能となり、機能面と操作性の向上と省エネを図ることができる。
【００９４】
また、各電動送風機の運転時は各ルーバーを開動作とし、各電動送風機の停止時は各ルーバーを閉動作とすることで、最適な各ノズル部より、送風をすることができるために、手乾燥時は前記第１ノズルから大風量の高速空気流を送風し、乾燥運転時は前記第２ノズルから送風させることで、手乾燥時ほどの高速空気流を必要としないことから消費電力を抑えることが出来るため、省エネ性の向上と機能面の向上することができる。
【００９５】
さらに、各電動送風機の運転モードにあわせて、各ルーバーも開閉動作をさせながら、前記乾燥室３の前記第１ノズル部７ａと前記第２ノズル部７ｂから前記乾燥室３へ一連のサイクルで送風することができるために、前記第１電動送風機２ａと前記第２電動送風機２ｂを使い分けながら、一連のサイクルで運転させることで、機能面と操作性の向上と省エネ性の向上を図ることができる。
【００９６】
（実施の形態５）
図５は、本実施の形態５における手乾燥装置の側断面図を示す。
【００９７】
図５に示すように、吸気口５から第１電動送風機２ａを経て第１ノズル部７ａへ連通させる第１風路６ａと、前記吸気口５から第２電動送風機２ｂを経て第２ノズル部７ｂへ連通させる第２風路６ｂとを設けている。
【００９８】
また、第２風路６ｂの空間の容積は、第１風路６ａよりも小さい構成とする。
【００９９】
さらに、乾燥室３底部には水分量検知手段１５を設け、第１風路６ａと第２風路６ｂにはそれぞれ第１ヒーター１４ａと第２ヒーター１４ｂとを備え、前記第２ヒーター１４ｂは前記第１ヒーター１４ａよりも能力が小さくして備え、乾燥運転時の第２電動送風機２ｂの運転時に、前記水分量検知手段１５は、前記乾燥室３内の水分量を検知し、乾燥していなければ、制御部８は、前記第２ヒーター１４ｂにて空気流を加熱させて、前記乾燥室３の底部の乾燥を加速させることができる。
【０１００】
また、前記第１ヒーター１４ａと前記第２ヒーター１４ｂの一例としてはＰＣＴヒーターなどの即熱が可能なものが一般的に使用されることが多く、風路に設置することで即時に高速空気流を暖めることで、手の乾燥及び前記乾燥室３内の乾燥をすることができる。
【０１０１】
さらに、前記第２ヒーター１４ｂは、前記第１ヒーター１４ａよりも消費電力が小さくしても前記第２風路６ｂの容積も小さく前記乾燥室３の底部は狭い空間のために、十分に乾燥させることができる。
【０１０２】
また、前記水分量検知手段１５の一例として、赤外線水分計などの赤外線の反射によって光学的に水分検出できるもので、前記乾燥室３に複数個配置されている前記水分量検知手段１５からの水分量を数値的データとして前記制御部８に送ることができる。
【０１０３】
さらに、前記制御部８は、前記水分量検知手段１５の検知データを集計することで、前記乾燥室３内底部の水分量の分布を把握することができる。
【０１０４】
また、本体１内の乾燥室３の内部を塞ぐ開閉式のカバー１８と、このカバー１８を可動させるカバー可動手段１９と、制御部８は前記カバー１８の開閉動作を操作する第１設定スイッチ１６ａと、前記第１設定スイッチ１６ａで設定された内容を記憶する第１記憶装置１７ａを備え、前記乾燥室３の内部の水分量を検知し、乾燥していなければ前記カバー１８を閉じて前記乾燥室３底部を塞ぎ、第２電動送風機２ｂと第２ヒーター１４ｂを運転させて前記乾燥室３の底部の狭い空間を乾燥させることができる。
【０１０５】
さらに、前記カバー１８は前記乾燥室３の壁面との密閉性の高いカバーとするため、乾燥運転時の前記第２ヒーター１４ｂからの暖かい空気が効率的に乾燥することができる。
【０１０６】
上記構成により、前記本体１内の前記第１風路６ａは、前記第１電動送風機２ａ専用とし、新たに前記第２電動送風機２ｂ用の前記第２風路６ｂを設けることで、異なる高速空気流を送風することができるために、前記第１ルーバー１２ａと前記第２ルーバー１２ｂの開閉動作の制御を廃止することができ、左右の動作だけにすることができるので、構造を簡略化することができるため、コスト面で優位な商品を提供することができる。
【０１０７】
また、前記第２電動送風機２ｂは、前記第１電動送風機２ａよりも小さいことから、前記第２風路６ｂの容積も前記第１風路６ａより小さくすることで、能力の小さい前記第２電動送風機２ｂでも前記第２風路６ｂにおいても同等な高速空気流を送風することができるために、前記第２電動送風機２ｂは能力が小さいことから、前記第２風路６ｂの容積も小さくすることで、瞬間的に高速空気流を前記第２ノズル部７ｂから送風することが可能となり、機能面の向上と小型化と低騒音化を図ることができる。
【０１０８】
さらに、前記第２ヒーター１４ｂを設けて前記第２ノズル部７ｂより送風することができるため、前記第１ノズル部７ａよりも最短距離で前記乾燥室３底部のみを直接、暖かい高速空気流を送風することができるために、前記乾燥室３底部の狭い空間を重点的に乾燥を加速させるだけでなく、前記第１ヒーター１４ａに比べて省エネ運転が可能なコスト面で優位な商品を提供できる。
【０１０９】
また、前記カバー１８を閉じた時に前記乾燥室３内の底部は囲われた空間になるため、乾燥運転時において前記乾燥室３全体の乾燥とはことなり狭い空間のみの乾燥となるため、時間の短縮をすることができるために、前記乾燥室３底部の狭い空間の完全に囲うことができるため、乾燥運転を加速させて乾燥効率を向上させるために乾燥時間を短縮することができるため、省エネ性の向上と機能面の向上を図ることができる。
【０１１０】
（実施の形態６）
図６は、本実施の形態６における手乾燥装置の側断面図を示す。
【０１１１】
図６に示すように、本体１の乾燥室３の内部に洗浄用の水散布手段２０と、前記水散布手段２０を設定できる第２設定スイッチ１６ｂとその設定を記憶する第２記憶装置１７ｂと、前記水散布手段２０にて散布された水分を下水に排水させる第２ドレン配管１０ｂを備え、前記乾燥室３の内部の前記カバー１８が閉じている時に前記水散布手段２０により、前記乾燥室３の底部の狭い空間の隅々を洗浄する制御部８を設けている。
【０１１２】
また、前記水散布手段２０は、外部より給水可能な構造とし前記乾燥室３へ霧状の水を前記カバー１８内に散布することで、洗浄を可能とする。
【０１１３】
さらに、洗浄後の水分は前記第２ドレン配管１０ｂより、直接外部へ排水可能な構造とする。
【０１１４】
また、制御部８には、乾燥室３の内部を自動洗浄可能な自動メンテナンスモードを設定できる第３設定スイッチ１６ｃとその設定を記憶する第３記憶装置１７ｃを備え、前記乾燥室３の内部のカバー１８が閉じて、水散布手段２０により前記乾燥室３を洗浄させて、第２ヒーター１４ｂにて乾燥させる一連の制御が可能な構成を設けている。
【０１１５】
さらに、制御部８は、自動メンテナンスモードの運転頻度のパターンを設定可能な第４設定スイッチ１６ｄとその設定を記憶する第４記憶装置１７ｄを設けている。
【０１１６】
上記構成により、前記水散布手段２０より密閉空間全体を水散布することで、水垢や乾燥室３底部に溜まった埃を洗い流すことができるために、前記乾燥室３底部の壁面や前記排水口９の周辺溜まるごみや水垢を取り除くことができるため、使用者に汚れによる不快を解消できる為に、清潔性が向上することで機器使用者も増加する商品を提供できる。
【０１１７】
また、前記第２ドレン配管１０ｂを直接外部へ排出するために、前記ドレンタンク１１を廃止することが可能なため、前記ドレンタンク１１の満水時による水の漏れと定期的なメンテナンスによる前記ドレンタンク１１に溜まった水の排水が不要となるためにメンテナンス性が向上できる。
【０１１８】
さらに、前記ドレンタンク１１を廃止することで、前記本体１の下部のスペースを削除できるため、小型の構造が実現することができる。
【０１１９】
また、前記制御部８に設けた前記第３設定スイッチ１６ｃにより、前記乾燥室３内の前記カバー１８が閉じて前記水散布手段２０より空間全体を水散布して洗浄し、続いて乾燥運転にて自動乾燥することで、前記乾燥室３の底部に溜まった埃を洗い流してさらに乾燥することができるために、短時間で洗浄と乾燥をすることで、機能面と清潔性が向上するだけでなく、メンテナンス性も向上するため、使い勝手のよい商品を提供することができる。
【０１２０】
さらに、前記制御部８に設けた前記第４設定スイッチ１６ｄにより、自動メンテナンスモードを前記第３設定スイッチ１６ｃを操作したときのみに実施するのではなく、前記第４設定スイッチ１６ｄにより、前記手検知部４が検知した運転回数の頻度にて自動メンテナンスモードの運転回数を設定することが出来ることで、定期的に水洗浄を行うことができるために、客先要望を反映できる運転設定と清潔性と乾燥性が向上した使い勝手のよい商品を提供することができる。
【産業上の利用可能性】
【０１２１】
本発明の手乾燥装置は、レストランやホテルなどの洗面所やトイレに設置され、また病院や手術室や調理場においても適用できる。
【図面の簡単な説明】
【０１２２】
【図１】本発明の実施の形態１の手乾燥装置を示す側断面図
【図２】本発明の実施の形態２の手乾燥装置を示す側断面図
【図３】本発明の実施の形態３の手乾燥装置を示す側断面図
【図４】本発明の実施の形態４の手乾燥装置を示す側断面図
【図５】本発明の実施の形態５の手乾燥装置を示す側断面図
【図６】本発明の実施の形態６の手乾燥装置を示す側断面図
【符号の説明】
【０１２３】
１      本体
２ａ    第１電動送風機
２ｂ    第２電動送風機
３      乾燥室
４      手検知部
５      吸気口
６ａ    第１風路
６ｂ    第２風路
７ａ    第１ノズル部
７ｂ    第２ノズル部
８      制御部
９      排水口
１０ａ  第１ドレン配管
１０ｂ  第２ドレン配管
１１    ドレンタンク
１２ａ  第１ルーバー
１２ｂ  第２ルーバー
１３ａ  第１ルーバー可動手段
１３ｂ  第２ルーバー可動手段
１４ａ  第１ヒーター
１４ｂ  第２ヒーター
１５    水分量検知手段
１６ａ  第１設定スイッチ
１６ｂ  第２設定スイッチ
１６ｃ  第３設定スイッチ
１６ｄ  第４設定スイッチ
１７ａ  第１記憶装置
１７ｂ  第２記憶装置
１７ｃ  第３記憶装置
１７ｄ  第４記憶装置
１８    カバー
１９    カバー可動手段
２０    水散布手段
【図１】
2010207315.tif 000003
【図２】
2010207315.tif 000004
【図３】
2010207315.tif 000005
【図４】
2010207315.tif 000006
【図５】
2010207315.tif 000007
【図６】
2010207315.tif 000008